(57)【特許請求の範囲】
【請求項１】
メディア客体を伝送するメディア・ストリームを生成する段階と、
メタデータ・ストリーム中で伝送され、前記メディア客体のそれぞれに対応するメディア客体ベースのメタデータを生成する段階と、
を含み、
前記メディア客体のそれぞれは、メタデータ・ストリーム内の対応するメタデータにアクセスするための対応するメタデータ位置情報を含み、前記対応するメタデータは、前記メディア客体を再生するためのデコーディング情報を含み、
前記メタデータ位置情報は、前記メディア客体のそれぞれから抽出される位置情報であり、メディア客体間の関係構造を記述し、前記メディア・ストリームの保存階層または伝送階層に挿入される、
ことを特徴とするメディア客体基盤メタデータの生成方法。
【請求項２】
前記メタデータは、客体記述データを含むことを特徴とする請求項１に記載のメディア客体基盤メタデータの生成方法。
【請求項３】
前記メタデータは、客体処理データをさらに含むことを特徴とする請求項２に記載のメディア客体基盤メタデータの生成方法。
【請求項４】
前記メタデータ位置情報は、前記客体記述データの位置情報と、前記客体処理データの位置情報とを含むことを特徴とする請求項３に記載のメディア客体基盤メタデータの生成方法。
【請求項５】
前記メタデータ位置情報は、前記客体記述データを含む第１伝送ストリームの識別子、前記客体記述データの位置情報、前記客体処理データを含む第２伝送ストリームの識別子及び前記客体処理データの位置情報を含むことを特徴とする請求項３に記載のメディア客体基盤メタデータの生成方法。
【請求項６】
メディア・ストリーム内に含まれているメディア客体にアクセスする段階と、
前記メディア客体から、前記メディア客体のそれぞれに対応するメディア客体ベースのメタデータのメタデータ位置情報を抽出する段階と、
前記メタデータ位置情報によって、メタデータ・ストリーム中で伝送され、前記メディア客体を再生するためのデコーディング情報を含む前記メタデータにアクセスする段階と、
前記メタデータに基づいて、前記メディア客体を再生する段階と、を含み、
前記メタデータ位置情報は、前記メディア客体のそれぞれから抽出される位置情報であり、メディア客体間の関係構造を記述し、前記メディア・ストリームの保存階層または伝送階層に挿入される
ことを特徴とするメディア客体基盤メタデータの再生方法。
【請求項７】
前記メディア客体にアクセスする段階は、
前記メディア・ストリームの保存階層または伝送階層に含まれたメディア客体ツリーによって、前記メディア客体にアクセスする段階を含むことを特徴とする請求項６に記載のメディア客体基盤メタデータの再生方法。
【請求項８】
前記メディア客体と、前記メディア客体に対応するメタデータとを削除したり、または修正したりする段階をさらに含むことを特徴とする請求項６に記載のメディア客体基盤メタデータの再生方法。
【請求項９】
前記メタデータは、客体記述データを含むことを特徴とする請求項６に記載のメディア客体基盤メタデータの再生方法。
【請求項１０】
前記メタデータは、客体処理データをさらに含むことを特徴とする請求項９に記載のメディア客体基盤メタデータの再生方法。
【請求項１１】
前記メタデータ位置情報は、前記客体記述データの位置情報と、前記客体処理データの位置情報とを含むことを特徴とする請求項１０に記載のメディア客体基盤メタデータの再生方法。
【請求項１２】
前記メタデータ位置情報は、前記客体記述データを含む第１伝送ストリームの識別子、前記客体記述データの位置情報、前記客体処理データを含む第２伝送ストリームの識別子及び前記客体処理データの位置情報を含むことを特徴とする請求項１０に記載のメディア客体基盤メタデータの再生方法。
【請求項１３】
メディア客体を伝送するメディア・ストリームを生成するメディア・ストリーム生成部と、
メタデータ・ストリーム中で伝送され、前記メディア客体のそれぞれに対応するメディア客体ベースのメタデータを生成するメタデータ生成部と、
を含み、
前記メディア客体のそれぞれは、前記メタデータ・ストリーム内の対応するメタデータにアクセスするための対応するメタデータ位置情報を含み、前記対応するメタデータは、前記メディア客体を再生するためのデコーディング情報を含み、
前記メタデータ位置情報は、前記メディア客体のそれぞれから抽出される位置情報であり、メディア客体間の関係構造を記述し、前記メディア・ストリームの保存階層または伝送階層に挿入される
ことを特徴とするメディア客体基盤メタデータの生成装置。
【請求項１４】
前記メタデータは、客体記述データを含むことを特徴とする請求項１３に記載のメディア客体基盤メタデータの生成装置。
【請求項１５】
前記メタデータは、客体処理データをさらに含むことを特徴とする請求項１４に記載のメディア客体基盤メタデータの生成装置。
【請求項１６】
メディア・ストリームの保存階層または伝送階層に含まれたメディア客体ツリーに記述されているメディア客体間の関係構造によって前記メディア・ストリームに含まれたメディア客体にアクセスし、かつメタデータ位置情報によってメタデータにアクセスするアクセス部と、
前記メディア客体から、前記メディア客体に対応するメタデータの前記メタデータ位置情報を抽出する抽出部と、
前記メタデータに基づいて、前記メディア客体を再生する再生部と、
を含むことを特徴とするメディア客体基盤メタデータの再生装置であって、
前記メタデータは、前記メディア客体のそれぞれに対応するメディア客体ベースのメタデータであって、メタデータ・ストリーム中で伝送され、前記メディア客体を再生するためのデコーディング情報を含み、
前記メタデータ位置情報は、前記メディア客体のそれぞれから抽出される位置情報であり、メディア客体間の関係構造を記述し、前記メディア・ストリームの保存階層または伝送階層に挿入される、
ことを特徴とする再生装置。
【請求項１７】
前記メタデータは、客体記述データを含むことを特徴とする請求項１６に記載のメディア客体基盤メタデータの再生装置。
【請求項１８】
前記メタデータは、客体処理データをさらに含むことを特徴とする請求項１７に記載のメディア客体基盤メタデータの再生装置。
【請求項１９】
メディア客体を伝送するメディア・ストリームを生成する段階と、
メタデータ・ストリーム中で伝送され、前記メディア客体のそれぞれに対応するメディア客体ベースのメタデータを生成する段階と、
を含み、
前記メディア客体のそれぞれは、メタデータ・ストリーム内の対応するメタデータにアクセスするための対応するメタデータ位置情報を含み、前記対応するメタデータは、前記メディア客体を再生するためのデコーディング情報を含み、
前記メタデータ位置情報は、前記メディア客体のそれぞれから抽出される位置情報であり、メディア客体間の関係構造を記述し、前記メディア・ストリームの保存階層または伝送階層に挿入される、
ことを特徴とするメディア客体基盤メタデータの生成方法を実行するためのプログラムが記録されたコンピュータで読取り可能な記録媒体。
【請求項２０】
メディア・ストリームに含まれているメディア客体にアクセスする段階と、
前記メディア客体から、前記メディア客体のそれぞれに対応するメディア客体ベースのメタデータのメタデータ位置情報を抽出する段階と、
前記メタデータ位置情報によって、メタデータ・ストリーム中で伝送され、前記メディア客体を再生するためのデコーディング情報を含む前記メタデータにアクセスする段階と、
前記メタデータによって、前記メディア客体を再生する段階と、を含み、
前記メタデータ位置情報は、前記メディア客体のそれぞれから抽出される位置情報であり、メディア客体間の関係構造を記述し、前記メディア・ストリームの保存階層または伝送階層に挿入される、
ことを特徴とする、メディア客体基盤メタデータの再生方法を実行するためのプログラムが記録されたコンピュータで読取り可能な記録媒体。
【発明の詳細な説明】
【技術分野】
【０００１】
本発明は、メディア客体基盤メタデータの生成方法、再生方法及びその装置に係り、さらに詳細には、マルチメディア客体のリアルタイム再生及び修正に適したメディアメタデータのフレームワークを生成したり、または再生する方法及び装置に関する。
【背景技術】
【０００２】
最近、マルチメディア・コンテンツの制作と使用とが増えつつ、マルチメディア・コンテンツの検索やフィルタリングの必要性が叫ばれ、それによって、メタデータ符号化に係わる多様な方法が提示されている。
【０００３】
メタデータというのは、多様な形態の情報資源を容易に検索してアクセスできるように、情報の内容及び特徴を一定の形式によって簡潔に叙述したデータであって、情報資源に係わる情報をいう。
【０００４】
図１は、メディアファイル・フォーマットまたはＭＰＥＧ（moving  picture  experts  group）−２システムでのメディアメタデータ・フレームワークの構造を図示した図である。
【０００５】
図１を参照するに、メディアメタデータ・ストリームは、メタデータ１１０を含む。メタデータ１１０は、メディア・ストリームに含まれているメディア客体１２０，１３０のデコーディングのための多様なプロファイル情報と、メディア客体１２０，１３０の位置情報とを含む。
【０００６】
また、メタデータ１１０は、メディア客体（マルチメディア・コンテンツ）１２０，１３０の識別子または位置などを含むことによって、ユーザは、メタデータ１１０を経て、メディア客体（マルチメディア・コンテンツ）１２０，１３０に容易にアクセスできる。
【０００７】
一方、ＭＰＥＧ−４システムのようなマルチメディア・システムで、コンテンツは、場面（scene）基盤で記述され、メタデータは、メディア・ストリームに係わる客体情報（object  description  data）及び場面情報（scene  description  data）に分類されて構成される。
【０００８】
しかし、このような方法は、場面基盤でメタデータが構成されているために、コンテンツのうち、一部のメディア客体だけを修正したり獲得することが困難であるという問題点があった。
【０００９】
また、メディア客体は、メタデータを介してしかアクセスできないために、コンテンツストリーミング時に、メタデータ・ストリームが損失される場合には、場面の構成が困難になるという問題点もあった。
【発明の概要】
【発明が解決しようとする課題】
【００１０】
本発明は、前述の問題点を解決するために案出され、マルチメディア・コンテンツのリアルタイム再生及び修正に適したメディア客体基盤メタデータの生成方法、再生方法及びその装置を提供することを目的とする。
【課題を解決するための手段】
【００１１】
前述の目的を達成するために、本発明の一実施形態によるメディア客体基盤メタデータの生成方法は、メディア客体を含むメディア・ストリームを生成する段階と、前記メディア客体のそれぞれに対応するメタデータを生成する段階とを含み、前記メディア客体は、前記メタデータにアクセスするためのメタデータ位置情報を含むことを特徴とする。
【００１２】
前記メタデータは、客体記述データを含むことを特徴とする。
【００１３】
前記メタデータは、客体処理データをさらに含むことが望ましい。
【００１４】
前記メタデータ位置情報は、前記客体記述データの位置情報と、前記客体処理データの位置情報とを含むことが望ましい。
【００１５】
前記メタデータ位置情報は、前記客体記述データを含む第１伝送ストリームの識別子、前記第１伝送ストリーム内の前記客体記述データの位置情報、前記客体処理データを含む第２伝送ストリームの識別子及び前記第２伝送ストリーム内の前記客体処理データの位置情報を含むことが望ましい。
【００１６】
前記メディア客体間の関係構造を記述するためのメディア客体ツリーを生成する段階と、前記メディア・ストリーム・ツリーを、前記メディア・ストリームの保存階層または伝送階層に挿入する段階をさらに含むことが望ましい。
【００１７】
また、前述の目的を達成するために、本発明の一実施形態によるメディア客体基盤メタデータの再生方法は、メディア・ストリームに含まれているメディア客体にアクセスする段階と、前記メディア客体から、前記メディア客体に対応するメタデータに係わるメタデータ位置情報を抽出する段階と、前記メタデータ位置情報によって、前記メタデータにアクセスする段階と、前記メタデータに基づいて、前記メディア客体を再生する段階とを含むことを特徴とする。
【００１８】
前記メディア・ストリームに含まれているメディア客体にアクセスする段階は、前記メディア・ストリームの保存階層または伝送階層に含まれたメディア客体ツリーによって、前記メディア客体にアクセスすることを特徴とする。
【００１９】
前記メディア客体と、前記メディア客体に対応するメタデータとを削除したり、または修正する段階をさらに含むことが望ましい。
【００２０】
また、前述の目的を達成するために、本発明の一実施形態によるメディア客体基盤メタデータの生成装置は、メディア客体を含むメディア・ストリームを生成するメディア・ストリーム生成部と、前記メディア客体のそれぞれに対応するメタデータを生成するメタデータ生成部とを含み、前記メディア客体は、前記メタデータにアクセスするためのメタデータ位置情報を含むことを特徴とする。
【００２１】
また、前述の目的を達成するために、本発明の一実施形態によるメディア客体基盤メタデータの再生装置は、メディア・ストリームに含まれたメディア客体にアクセスし、かつメタデータ位置情報によってメタデータにアクセスするアクセス部と、前記メディア客体から、前記メディア客体に対応する前記メタデータに係わるメタデータ位置情報を抽出する抽出部と、前記メタデータに基づいて、前記メディア客体を再生する再生部とを含むことを特徴とする。
【００２２】
また、前述の目的を達成するために、本発明の一実施形態によるメディア客体基盤メタデータの伝送ストリーム構造は、メディア客体を含むメディア・ストリームと、前記メディア客体のそれぞれに対応するメタデータを含むメタデータ・ストリームとを含み、前記メディア客体は、前記メタデータにアクセスするための位置情報を含むことを特徴とする。
【００２３】
また、前述の目的を達成するために、本発明の一実施形態によるメディア客体基盤メタデータの生成方法を実行するためのプログラムを保存したコンピュータで読取り可能な記録媒体は、メディア客体を含むメディア・ストリームを生成する段階と、前記メディア客体のそれぞれに対応するメタデータを生成する段階とを含む方法を実行し、前記メディア客体は、前記メタデータにアクセスするためのメタデータ位置情報を含むことを特徴とする。
【００２４】
また、前述の目的を達成するために、本発明の一実施形態によるメディア客体基盤メタデータの再生方法を実行するためのプログラムを保存したコンピュータで読取り可能な記録媒体は、メディア・ストリームに含まれているメディア客体にアクセスする段階と、前記メディア客体から、前記メディア客体に対応するメタデータに係わるメタデータ位置情報を抽出する段階と、前記メタデータ位置情報によって、前記メタデータにアクセスする段階と、前記メタデータに基づいて、前記メディア客体を再生する段階とを含む方法を実行することを特徴とする。
【発明の効果】
【００２５】
本発明の一実施形態によるメディア客体基盤メタデータの生成方法、再生方法及びその装置によれば、コンテンツのリアルタイム再生及び修正を容易にし、コンテンツ内のメディア客体へのアクセス、及びメディア客体の獲得を容易にするという効果がある。
【００２６】
また、本発明の一実施形態によるメディア客体基盤メタデータの生成方法、再生方法及びその装置によれば、コンテンツの一部データ損失時に対するコンテンツ構成の強靭性を向上させることができて、所望のメディア客体だけを選択的に再生させる効果がある。
【図面の簡単な説明】
【００２７】
【図１】メディアファイル・フォーマットまたはＭＰＥＧ−２システムで、メディアメタデータ・フレームワークの構造を図示した図である。
【図２】本発明の一実施形態によって生成されたメディアメタデータ・フレームワークの保存時の適用例示を図示した図である。
【図３】本発明の変形された実施形態によって生成されたメディアメタデータ・フレームワークの伝送構造を図示した図である。
【図４】本発明の一実施形態によるメディア客体基盤メタデータの生成方法を図示したフローチャートである。
【図５】本発明の一実施形態によるメディア客体基盤メタデータの再生方法を図示したフローチャートである。
【図６】本発明の一実施形態によるメディア客体基盤メタデータの生成装置を図示した図である。
【図７】本発明の一実施形態によるメディア客体基盤メタデータの再生装置を図示した図である。
【発明を実施するための形態】
【００２８】
以下、添付された図面を参照しつつ、本発明の望ましい実施形態について詳細に説明する。
【００２９】
図２は、本発明の一実施形態によって生成されたメディアメタデータ・フレームワークの保存時の適用例示を図示した図である。図２を参照するに、本発明によるメディアメタデータ・フレームワークは、メディア・ストリーム２０５及びメタデータ・ストリーム２１５，２２５を含む。
【００３０】
メディア・ストリーム２０５は、メディア客体２１０を含む。ここで、メディア客体は、１つのオーディオ・フレーム、ビデオ・フレームまたはイメージ・フレームを意味する。一般的に、メディア・ストリームは、メディア客体の連続的な流れ（flow）を意味するが、本明細書では、図２でのように、メディア客体が保存装置に保存される形態を含む意味と解釈されねばならない。
【００３１】
メディア客体２１０は、客体内部に場面（scene）のようなメディア客体（メディア・ストリーム）間の関係構造の記述なしに、それぞれのメディア客体別に独立して記述される。
【００３２】
メディア客体（メディア・ストリーム）２１０間の関係構造（エンコーディング、コンテンツ構成、レンダリング順序など）は、メディア客体（メディア・ストリーム）ツリーを利用して定義されうる。
【００３３】
メディア客体ツリーは、メディア客体間のエンコーディング、多重化、意味的関係などの関係構造を、ツリー構造のようなデータ構造として記述したものである。例えば、ＭＰＥＧ（moving  picture  experts  group）−４システムは、ＯＤ（object  descriptor）フレームワークで、経時的に客体ツリーを構成する形態で実施されうる。
【００３４】
本発明でメディア客体ツリーは、メディア・ストリームの保存階層または伝送階層に挿入されて保存されたり伝送される。すなわち、メディア客体ツリーは、後述する客体処理データに含まれない。
【００３５】
メディア客体２１０は、それぞれ対応するメタデータ２２０，２３０を有する。メタデータ２２０，２３０は、メタデータ・ストリーム（保存構造を含む）２１５，２２５に含まれている。
【００３６】
メタデータ２２０，２３０は、多様な情報に容易にアクセスできるようにするために、情報の内容及び特徴を、一定の形式によって簡潔に叙述したものである。このようなメタデータ２２０，２３０には、客体記述データ（object  description  data）２２０と、客体処理データ（media  handling  data）２３０とがある。客体記述データ２２０は、メディア客体のデコーディング情報のような多様なプロファイル情報を含んだメディアメタデータ情報であり、客体処理データ２３０は、メディア客体のレンダリング位置や変換（transformation）のような情報を含んだレンダリング・メタデータ情報である。
【００３７】
メディア客体２１０は、客体記述データ２２０及び客体処理データ２３０のようなメタデータの位置情報を含む。このような位置情報は、メディア客体２１０からそれぞれ対応するメタデータ２２０，２３０に容易にアクセスできるように許容する。従って、所定のアクセス装置は、メディア・ストリームのメディア客体２１０にアクセスし、その後メディア客体２１０に含まれた位置情報を利用し、メディア客体２１０に対応するメタデータ２２０，２３０にアクセスできる。
【００３８】
前述のようなメディア客体基盤メタデータ・フレームワークは、メディア客体を基盤としてメタデータを構成するために、コンテンツを構成するメディア客体間の関係性を減らす。従って、一部メディア客体の修正が要求される場合に、メタデータを容易に見つけ出すことが可能になる。
【００３９】
また、メディア客体基盤フレームワーク構造は、コンテンツの一部ストリームやパケットが損失された場合、損失されたメディア客体だけを捨てることを可能にするために、コンテンツ再生性能を向上させることができる。
【００４０】
図３は、本発明の変形された実施形態によって生成されたメディアメタデータ・フレームワークの伝送時の適用例示を図示した図である。図３を参照するに、メディア客体３１０に含まれるメタデータ位置情報は、客体記述データ３２０を含む伝送ストリームの識別子、客体記述データを含む伝送ストリーム内の客体記述データの位置情報、客体処理データ３３０を含む伝送ストリームの識別子及び客体処理データを含む伝送ストリーム内の客体処理データの位置情報を含むことができる。
【００４１】
その他、メディア客体３１０、客体記述データ３２０及び客体処理データ３３０については、図２で説明したところと類似しているので、追加的な説明は省略する。
【００４２】
図４は、本発明の一実施形態によるメディア客体基盤メタデータの生成方法を図示したフローチャートである。図４を参照するに、段階４１０では、メディア客体を含むメディア・ストリームが生成される。ここで、メディア客体は、メタデータにアクセスするための情報のメタデータ位置情報を含む。変形された実施形態で、メディア客体は、メタデータ位置情報を含み、メタデータは、メディア客体にアクセスするための位置情報を含めることも可能である。
【００４３】
段階４２０では、メタデータ及びメタデータ・ストリームが生成される。メディア客体のそれぞれは、対応するメタデータを有する。
【００４４】
メタデータは、客体記述データを含み、望ましくは、客体処理データを含むこともできる。従って、メディア客体は、客体記述データの位置情報を含み、客体処理データの位置情報を含むこともできる。変形された実施形態のメタデータ・ストリームの伝送時の適用例示では、メディア客体に含まれたメタデータ位置情報は、客体記述データを含む伝送ストリームの識別子、客体記述データの位置情報、客体処理データを含む伝送ストリームの識別子及び客体処理データの位置情報でありうる。
【００４５】
段階４３０では、メディア客体間の関係構造を記述するためのメディア客体ツリーが生成される。
【００４６】
段階４４０では、メディア客体ツリーがメディア・ストリームの保存階層または伝送階層に挿入される。前述のメディア・ストリーム及びメタデータの生成は、アプリケーション階層で実行されたものである一方、メディア客体ツリーの挿入は、保存階層または伝送階層で実行されうる。
【００４７】
図５は、本発明の一実施形態によるメディア客体基盤メタデータの再生方法を図示したフローチャートである。図５を参照するに、段階５１０では、メディア客体基盤メタデータを再生するための装置は、メディア・ストリームに含まれたメディア客体にアクセスする。メディア客体へのアクセスは、メディア・ストリームの保存階層または伝送階層に含まれたメディア客体ツリーに記述されているメディア客体間の関係構造によってなされうる。
【００４８】
段階５２０では、メディア客体からそのメディア客体に対応するメタデータの位置情報が抽出される。
【００４９】
段階５３０では、段階５２０で抽出されたメタデータの位置情報によって、メタデータへのアクセスが実行される。
【００５０】
段階５４０では、アクセスされたメタデータに記録されているデコーディング情報及びレンダリング情報などを基に、メディア客体が再生される。メタデータには、デコーディング情報が必ず記録されていなければならないが、レンダリング情報は、必ずしも記録されていなければならないというものではない。
【００５１】
段階５５０では、外部から一部コンテンツの削除または修正の要請がある場合に、それに該当するメディア客体と、そのメディア客体に対応するメタデータとが、削除されたり修正される。
【００５２】
図６は、本発明の一実施形態によるメディア客体基盤メタデータの生成装置を図示した図である。図６を参照するに、本発明の一実施形態によるメディア客体基盤メタデータの生成装置は、メディア・ストリーム生成部６１０、メタデータ生成部６２０及びメディア客体ツリー挿入部６３０を含む。
【００５３】
メディア・ストリーム生成部６１０は、コンテンツを入力され、メディア客体を含んだメディア・ストリームを生成する。メディア・ストリーム生成部６１０は、メタデータにアクセスするためのメタデータ位置情報をメディア客体に挿入する。メタデータ及びメタデータ位置情報については、すでに述べてある。
【００５４】
メタデータ生成部６２０は、メディア・ストリーム生成部６１０で生成されたメディア・ストリームのメディア客体に係わるメタデータを生成し、メディア・ストリーム及びメタデータを出力する。
【００５５】
メディア客体ツリー挿入部６３０は、メディア客体間の関係構造を記述するためのメディア客体ツリーを生成し、生成されたメディア客体ツリーを、メディア・ストリームの保存階層または伝送階層に挿入する。
【００５６】
図７は、本発明の一実施形態によるメディア客体基盤メタデータの再生装置を図示した図である。図７を参照するに、本発明の一実施形態によるメディア客体基盤メタデータの再生装置は、アクセス部７１０、抽出部７２０及び再生部７３０を含む。
【００５７】
アクセス部７１０は、メディア・ストリームに含まれたメディア客体７４０にアクセスして読み取る。アクセス部７１０は、読み取られたメディア客体７４０を、抽出部７２０に出力する。また、アクセス部７１０は、抽出部７２０から入力されたメタデータの位置情報によって、メタデータ７５０にアクセスして読み取る。読み取られたメディア客体７４０及びメタデータ７５０は、再生部７３０に出力される。
【００５８】
抽出部７２０は、アクセス部７１０からメディア客体７４０を入力され、入力されたメディア客体７４０から、メタデータの位置情報を抽出する。抽出部７２０は、抽出されたメタデータの位置情報を、さらにアクセス部７１０に出力する。
【００５９】
再生部７３０は、アクセス部７１０から入力されたメディア客体７４０及びメタデータ７５０によって、所望のコンテンツを再生する。
【００６０】
本発明は：
・ＭＰＥＧ−４システム（ＩＳＯ／ＩＥＣ  １４４９６−１）及びＭＰＥＧ−４  ＬＡＳｅＲ／ＳＡＦ（ＩＳＯ／ＩＥＣ１４４９６−２０）のようなメディアメタデータ・フレームワーク規格；
・ＩＳＯベースメディアファイル・フォーマット（ＩＳＯ／ＩＥＣ  １４４９６−１２）、QuickTime（アップル社）、ＡＳＦ（マイクロソフト社）のようなメディアデータ保存フォーマット規格；
・前記メディアシステム技術を支援するメディア処理端末（例えば、ＴＶ（television）、ＳＴＢ（set  top  box）、ＰＭＰ（portable  media  player）、ＭＰ３、モバイル放送端末、携帯電話、Ｓ／Ｗ（software）メディアプレーヤなど）に適用されうる。
【００６１】
また本発明は、コンピュータで読取り可能な記録媒体にコンピュータで読取り可能なコードとして具現することが可能である。コンピュータで読取り可能な記録媒体は、コンピュータシステムによって読取り可能なデータが保存されるあらゆる種類の記録装置を含む。
【００６２】
コンピュータで読取り可能な記録媒体の例としては、ＲＯＭ（read-only  memory）、ＲＡＭ（random-access  memory）、ＣＤ−ＲＯＭ、磁気テープ、フロッピー（登録商標）ディスク、光データ保存装置などがある。また、コンピュータで読取り可能な記録媒体は、ネットワークに連結されたコンピュータシステムに分散され、分散方式でコンピュータで読取り可能なコードが保存されて実行されうる。
【００６３】
前述の内容は、本発明の技術的思想を外れない範囲内で、多様な実施形態を作り出すことが可能である。従って、前記実施形態は、本発明を限定するものと解釈されることがあってはならず、特許請求の範囲に記載されている発明の特徴の範囲内で自由に変更されうる。
【図１】
0005406185.tif 000002
【図２】
0005406185.tif 000003
【図３】
0005406185.tif 000004
【図４】
0005406185.tif 000005
【図５】
0005406185.tif 000006
【図６】
0005406185.tif 000007
【図７】
0005406185.tif 000008